(57)【特許請求の範囲】
【請求項１】
底面部と、この底面部の両側から立設された一対の側面部と、この一対の側面部の少なくとも一方の上端側から前記底面部の上方に折曲された上面部とを有し、前記底面部と前記上面部とのいずれか一方に上下方向に弾性変形する弾性接触部を設け、他方に前記弾性接触部に対向する弾性受け面部を設け、前記弾性接触部が設けられた前記底面部又は前記上面部には前記弾性接触部に近接する過大変位防止片部を設け、前記弾性接触部が一定以上に変位すると前記過大変位防止片部に当接して過大変位を防止する端子構造にあって、
前記一対の側面部の少なくとも一方に、前記過大変位防止片部に略当接する変形防止ストッパー部を、該過大変位防止片部の後方に設けた
ことを特徴とする端子構造。
【請求項２】
請求項１記載の端子構造であって、
前記過大変位防止片部に略当接するのは、前記変形防止ストッパー部の端面とし、前記変形防止ストッパー部の幅寸法を板厚よりも大きく設定したこと
を特徴とする端子構造。
【発明の詳細な説明】
【０００１】
【発明の属する技術分野】
本発明は、相手側端子等のこじりによる弾性接触部の過大変位を防止する端子構造に関する。
【０００２】
【従来の技術】
この種の従来の端子構造としては、実開平７−４２００５号公報に開示されたものがあり、かかる端子構造が図５及び図６に示されている。図５は端子の斜視図、図６は端子の正面図である。
【０００３】
図５及び図６において、雌端子１は、１枚の金属平板から打ち抜かれて一体成形されており、底面部２と、この底面部２の両側から略垂直に折曲された一対の側面部３と、この一対の側面部３の上端から底面部側に折曲された上面部４とを備えている。底面部２にはその一部が折曲されて上下方向に弾性変形する弾性接触部５が設けられ、上面部４にはその一部が折曲され、弾性接触部５に対向する弾性受け面部６が設けられている。又、底面部２にはその一部が切り起こされて過大変位防止片部７が設けられ、この過大変位防止片部７の上端は弾性接触部５の底面に近接する位置に位置されている。過大変位防止片部７の上端部の両側には突起部７ａがそれぞれ設けられ、この一対の突起部７ａが一対の側面部３にそれぞれ設けられた孔３ａに挿入されている。
【０００４】
上記構成において、相手側端子である雄端子（図示せず）を弾性接触部５と弾性受け面部６との間に挿入すると、主に弾性接触部５が上方に弾性変形して雄端子が挿入され、雄端子と弾性接触部５及び弾性受け面部６とが一定の接圧で接触される。又、雄端子が適正ではない挿入方向から挿入される等して弾性接触部５がこじり等により荷重を受けると、この荷重によって弾性変形する。この弾性変形が一定以上になると、弾性接触部５が過大変位防止片部７に当接して過大変位が防止される。
【０００５】
【発明が解決しようとする課題】
しかしながら、前記従来の端子構造にあっては、過大変位防止片部７の強度を向上させるのに、過大変位防止片部７の突起部７ａを側面部３の孔３ａに挿入している。従って、突起部７ａと孔３ａとの位置が合うよう正確に加工する必要があると共に、突起部７ａを孔３ａに挿入するという面倒な工程も必要であり、雌端子１の作製が面倒であるという問題がある。
【０００６】
また、弾性接触部５からの荷重を過大変位防止片部７の突起部７ａで受ける構造であるが、荷重方向が突起部７ａの板厚であるため、過度の荷重を受けると突起部７ａが変形して過大変位を防止できないという問題がある。
【０００７】
そこで、本発明は、前記した課題を解決すべくなされたものであり、端子の作製が容易で、且つ、こじり等による弾性接触部の過大変位が防止できる端子構造を提供することを目的とする。又、本発明は、端子の作製が容易で、且つ、こじり等による過度の荷重に対しても弾性接触部の過大変位が防止できる端子構造を提供することを目的とする。
【０００８】
【課題を解決するための手段】
請求項１の発明は、底面部と、この底面部の両側から立設された一対の側面部と、この一対の側面部の少なくとも一方の上端側から前記底面部の上方に折曲された上面部とを有し、前記底面部と前記上面部とのいずれか一方に上下方向に弾性変形する弾性接触部を設け、他方に前記弾性接触部に対向する弾性受け面部を設け、前記弾性接触部が設けられた前記底面部又は前記上面部には前記弾性接触部に近接する過大変位防止片部を設け、前記弾性接触部が一定以上に変位すると前記過大変位防止片部に当接して過大変位を防止する端子構造にあって、前記一対の側面部の少なくとも一方に、前記過大変位防止片部に略当接する変形防止ストッパー部を、該過大変位防止片部の後方に設けたことを特徴とする。
【０００９】
この端子構造では、こじり等により弾性接触部が荷重を受け、この荷重によって一定以上に弾性変形すると、弾性接触部が過大変位防止片部に当接し、この過大変位防止片部の変位を変形防止ストッパー部で阻止することにより弾性接触部の過大変位が防止されるものであり、過大変位防止片部の変位を阻止する変形防止ストッパー部は、側面部より過大変位防止片部に近接するよう設ければ良い。
【００１０】
請求項２の発明は、請求項１記載の端子構造であって、前記過大変位防止片部に略当接するのは、前記変形防止ストッパー部の端面とし、前記変形防止ストッパー部の幅寸法を板厚よりも大きく設定したことを特徴とする。
【００１１】
この端子構造では、請求項１の発明の作用に加え、変形防止ストッパー部では過大変位防止片部からの荷重方向が変形防止ストッパー部の幅方向となり、変形防止ストッパー部が荷重を板厚よりも大きい幅寸法で受ける。
【００１２】
【発明の実施の形態】
以下、本発明の一実施形態を図面に基づいて説明する。
【００１３】
図１〜図４は本発明の一実施形態を示し、図１は雌端子の平面図、図２はその断面図、図３は雌端子の要部斜視図、図４は雌端子に雄端子が挿入された状態を示す断面図である。
【００１４】
図１〜図４において、端子である雌端子２０は、１枚の金属平板から打ち抜かれて一体成形されており、電線締結部２１と端子接触部２２とからなる。電線締結部２１は、底面部２３とこの底面部２３の両側から上方に折曲された一対の加締め加工部２４とから構成され、この一対の加締め加工部２４間に載置した電線Ｗが加締め加工によって締結される。
【００１５】
端子接触部２２は、電線締結部２１と共通する底面部２３と、この底面部２３の両側から略垂直に折曲された一対の側面部２５と、この一対の側面部２５の上端から底面部２３の上方にそれぞれ折曲された上面部２６ａ、２６ｂとを備えている。
【００１６】
底面部２３には３つの分割された前方突出部が設けられ、この両側の前方突出部が共に底面部２３の上方に折り重なるよう折曲されて一対の弾性接触部２７が構成されている。この各弾性接触部２７の後側は、更に底面部２３の上方に入り込むよう折曲されて弾性補強部２８が構成され、この弾性補強部２８は弾性接触部２７が下方にある程度変位すると底面部２３に当接して自らも弾性変形することによって弾性補強する。
【００１７】
又、中央の前方突出部分も底面部２３の上方に折り重なるよう折曲されて中央弾性変形部２９が構成され、この中央弾性変形部２９には一部折曲によって係止部である係止突起部３０が設けられている。この係止突起部３０は上方に突出し、中央弾性変形部２９の弾性変形によって上下方向に変位する。この中央弾性変形部３０の後側には、弾性接触部２７のような弾性補強部２８が設けられておらず、下方への弾性変形が容易に構成されている。
【００１８】
更に、底面部２３の左右両側には略垂直方向に折曲され、上方に延びる過大変位防止片部３１がそれぞれ設けられている。この一対の過大変位防止片部３１の上端は、前記一対の弾性接触部２７の前方部分の下面近傍にそれぞれ位置している。
【００１９】
一対の側面部２５には、この側面部２５の一部を切り起こして略直交方向（雄端子１０の挿入方向と直交する方向）に折曲され、水平方向に延びる変形防止ストッパー部３２が上記過大変位防止片部３１の後方にそれぞれ設けられている。この一対の変形防止ストッパー部３２は、その前端面３２ａが一対の過大変位防止片部３１の上端部の後面（端子挿入方向上流側の面）に略当接する位置にそれぞれ配置されており、各変形防止ストッパー部３２の幅寸法Ｂはその板厚よりも十分に大きく設定されている。
【００２０】
両側の２つの上面部２６ａ、２６ｂは、一部で折り重なるよう配置され、上側の上面部２６ａが下側の上面部２６ｂの上方への変位を規制している。下方の上面部２６ｂにはその一部が下方に折曲されて弾性受け面部３３が設けられ、この弾性受け面部３３は底面部２３の弾性接触部２７に対向している。又、下方の上面部２６ｂには下方に折曲され、垂直方向に延びるストッパー部３４が設けられている。このストッパー部３４は、その端面３４ａが雄端子３４の先端面３４ａに当接するよう配置されており、ストッパー部３４の幅寸法Ａ（図２に示す）は、その板厚よりも十分に大きく設定されている。
【００２１】
一方、相手側端子である雄端子１０（図４に示す）は、偏平なロッド状をなし、この先端から少し基部側の位置に被係止部である係止穴１１を有している。
【００２２】
上記構成において、相手側端子である雄端子１０（図４に示す）を弾性接触部２７と弾性受け面部３３との間に挿入すると、弾性接触部２７及び中央弾性変形部２９が下方に弾性変形して雄端子１０の挿入が許容される。雄端子１０の係止孔１１の位置が係止突起部３０の位置にまで挿入されると、中央弾性変形部２９の弾性力によって雄端子１０の係止孔１１に係止突起部３０が係止される。そして、雄端子１０と弾性接触部２７及び弾性受け面部３３とが一定の接圧で接触される。又、この状態よりも更に雄端子１０が挿入されると、図４に示すように、雄端子１０の先端面１０ａがストッパー部３４に当接し、これにより雄端子１０の過剰挿入が阻止される。
【００２３】
また、雄端子１０が適正ではない挿入方向から挿入される等して弾性接触部２７がこじり等により荷重を受けると、この荷重によって弾性変形する。この弾性変形が一定以上になると、弾性接触部２７が過大変位防止片部３１に当接し、この過大変位防止片部３１の変位が変形防止ストッパー部３２で阻止されることにより弾性接触部２７の過大変位が防止される。そして、過大変位防止片部３１の変位を阻止する変形防止ストッパー部３２は、単に側面部２５より過大変位防止片部３１の後方に近接するよう設ければ良いため、製造過程で正確な位置合わせや面倒な工程がなく雌端子２０を作製できる。
【００２４】
又、この実施形態では、変形防止ストッパー部３２においては、過大変位防止片部３１からの荷重方向が変形防止ストッパー部３２の幅方向となり、変形防止ストッパー部３２が荷重を板厚よりも大きい幅寸法Ｂで受けるため、過度の荷重に対しても変形することがない。従って、過度の荷重に対しても弾性接触部２７の過大変位を防止できる。
【００２５】
尚、前記実施形態によれば、係止部を係止突起部３０にて構成し、被係止部を係止孔１１にて構成したが、端子の挿入に際して係止できる構造であれば良い。
【００２６】
また、前記実施形態によれば、底面部２３に弾性接触部２７を設け、上面部２６ｂに弾性受け面部３３を設けたが、底面部２３に弾性受け面部３３を設け、上面部２６ｂに弾性接触部２７を設けても良い。この場合には上面部２６ｂに過大変位防止片部３１を設ける。
【００２７】
また、前記実施形態によれば、一対の弾性接触部２７と中央弾性変形部２９とを別個独立して弾性変形できるよう分割して設けたが、両者を一体に設けても良い。但し、前記実施形態のように分割して設けた場合には、係止突起部３０を係止孔１１より離脱させるのに中央弾性変形部２９のみを弾性変形させれば良いため、離脱動作において一対の弾性接触部２７の弾性特性を損なうことがなく一定の接触圧の保持に支障を来すおそれがないという利点がある。そして、その上、前記実施形態のように一対の弾性接触部２７に弾性補強部２８を付加することができ、一定の接触圧の保持に優れた端子を提供できるという利点がある。又、弾性接触部２７を一体で設けた場合には、左右の側面部２５の一方にのみ変形防止ストッパー部３２を設けても良い。但し、弾性接触部２７を一体で設けた場合にも左右の側面部２５にそれぞれ変形防止ストッパー部３２を設けた方が、強度的には好ましい。
【００２８】
【発明の効果】
以上説明したように、請求項１の発明によれば、底面部と、この底面部の両側から立設された一対の側面部と、この一対の側面部の少なくとも一方の上端側から折曲された上面部とを有し、前記底面部と前記上面部とのいずれか一方に上下方向に弾性変形する弾性接触部を設け、他方に前記弾性接触部に対向する弾性受け面部を設け、前記底面部又は前記上面部には前記弾性接触部に近接する過大変位防止片部を設け、前記弾性接触部が一定以上に変位すると前記過大変位防止片部に当接して過大変位を防止する端子構造にあって、前記一対の側面部の少なくとも一方に、前記過大変位防止片部に略当接する変形防止ストッパー部を、該過大変位防止片部の後方に設けたので、こじり等により弾性接触部が荷重を受け、この荷重によって一定以上に弾性変形すると、弾性接触部が過大変位防止片部に当接し、この過大変位防止片部の変位を変形防止ストッパー部で阻止することにより弾性接触部の過大変位が防止されるものであり、過大変位防止片部の変位を阻止する変形防止ストッパー部は、側面部より過大変位防止片部に近接するよう設ければ良いため、端子の作製が容易で、且つ、こじり等による弾性接触部の過大変位が防止できる。
【００２９】
請求項２の発明によれば、請求項１記載の端子構造であって、前記過大変位防止片部に略当接するのは、前記変形防止ストッパー部の端面とし、前記変形防止ストッパー部の幅寸法を板厚よりも大きく設定したので、請求項１の発明の効果に加え、変形防止ストッパー部では過大変位防止片部からの荷重方向が変形防止ストッパー部の幅方向となり、変形防止ストッパー部が荷重を板厚よりも大きい幅寸法で受けるため、過度の荷重に対しても変形することがなく、過度の荷重に対しても弾性接触部の過大変位を防止できる。
【図面の簡単な説明】
【図１】本発明の一実施形態に係る雌端子の平面図である。
【図２】本発明の一実施形態に係る雌端子の断面図である。
【図３】本発明の一実施形態に係る雌端子の要部斜視図である。
【図４】本発明の一実施形態に係る雌端子に雄端子が挿入された状態を示す断面図である。
【図５】従来例に係る端子の斜視図である。
【図６】従来例に係る端子の正面図である。
【符号の説明】
１０  雄端子（相手側端子）
２０  雌端子
２３  底面部
２５  側面部
２６ａ、２６ｂ  上面部
２７  弾性接触部
３１  過大変位防止片部
３２  変形防止ストッパー部
３２ａ  前端面（端面）
３３  弾性受け面部
【図１】
0003583314.tif 000002
【図２】
0003583314.tif 000003
【図３】
0003583314.tif 000004
【図４】
0003583314.tif 000005
【図５】
0003583314.tif 000006
【図６】
0003583314.tif 000007